(57)【要約】【課題】水没している間の消費電力を削減する。【解決手段】自身が水没したことと、取り上げられたことを検出する水没検出部６００と、筐体１１１の内部に設けられた発光体としてのＬＥＤ１１３Ａ、１１４Ａ、１１５Ａと、点灯信号であるＬＥＤ点灯信号ＬＯＮの入力に応じてＬＥＤ１１３Ａ、１１４Ａ、１１５Ａを点灯させる点灯回路５００と、水没から少なくとも取り上げまでの間、ＬＥＤ点灯信号ＬＯＮを発生して点灯回路５００に入力することにより、ＬＥＤ１１３Ａ、１１４Ａ、１１５Ａを点灯させる制御部２００とを備え、水没検出部６００が水没を検出したときに、ＬＥＤ１１３Ａ、１１４Ａ、１１５Ａの点灯に必要な箇所以外（通信部４００等）に電源が供給されていた場合、少なくとも取り上げまでの間、ＬＥＤ１１３Ａ、１１４Ａ、１１５Ａの点灯に必要な箇所以外（通信部４００等）への電源の供給を停止する。【選択図】      図２
2016213567.tif 000002
【特許請求の範囲】
【請求項１】
自身が水面又は水中に落下したこと（以下「水没」と呼ぶ）を検出するとともに、前記水面又は水中から取り上げられたこと（以下「取り上げ」と呼ぶ）を検出する水没検出部と、筐体の内部に設けられた発光体と、点灯信号の入力に応じて前記発光体を点灯させる点灯回路と、前記水没から少なくとも前記取り上げまでの間、前記点灯信号を発生して前記点灯回路に入力することにより、前記発光体を点灯させる制御部とを備えた電子機器において、前記水没検出部が水没を検出したときに、発光体の点灯に必要な箇所以外に電源が供給されていた場合、少なくとも前記取り上げまでの間、発光体の点灯に必要な箇所以外への電源の供給を停止することを特徴とする電子機器。
【請求項２】
ディスプレイ及びキーパネルを備え、前記発光体は、前記ディスプレイ及びキーパネルの少なくとも一方のバックライトであることを特徴とする請求項１記載の電子機器。
【請求項３】
前記水没検出部は、一対の電極を有し、これらの電極が相互に導通することによって前記水没を検出し、そののち非導通になることによって取り上げを検出することを特徴とする請求項１又は２記載の電子機器。
【請求項４】
自身が水没したことを水没検出部が検出したならば水没信号を制御部に送出し、制御部が前記水没信号を受けた場合、少なくとも自身が取り上げられるまでの間、筐体の内部に設けられた発光体を点灯させる点灯信号を点灯回路に対して送出し、前記点灯信号を受けた点灯回路が発光体を点灯させる電子機器の制御方法において、前記水没検出部が水没を検出したときに、発光体の点灯に必要な箇所以外に電源が供給されていた場合、少なくとも前記取り上げまでの間、発光体の点灯に必要な箇所以外への電源の供給を停止することを特徴とする電子機器の制御方法。
【発明の詳細な説明】
【技術分野】
【０００１】
本発明は、電子機器と、電子機器の制御方法とに関し、特には水に落としても浮くように構成された電子機器と、その電子機器の制御方法とに関する。
【背景技術】
【０００２】
マリン用のトランシーバー等の水に近いところで使用される電子機器は、誤って水がかかったり、水に落とすことも考えられるため、内部に水がはいらないように防水されているものも多い。また、水に落としたときに水中に没してしまうと回収できなくなるため、水面に浮くようにすることも提案されている（特許文献１参照）。
【０００３】
しかし、電子機器が水面に浮いていても、夜間や視界が悪いときには、どこにあるかを見つけることができず回収できないという問題点があった。このため、本願出願人は、夜間や視界が悪いときに水に落としても、容易に発見することができる電子機器として、特許文献２記載の電子機器を創案した。
この電子機器は、『自身が水面または水中に落下したこと（以下「水没」と呼ぶ）を検出するとともに、前記水面または水中から取り上げられたこと（以下「取り上げ」と呼ぶ）を検出する水没検出部と、筐体の内部に設けられた発光体と、点灯信号の入力に応じて前記発光体を点灯させる点灯回路と、前記水没から、少なくとも前記取り上げまでの間、所定の点減周期で前記点灯信号を発生して前記点灯回路に入力することにより、前記発光体を点減させる制御部と、前記水没検出部が水没を検出したとき前記制御部に電源が供給されていなかった場合、前記制御部に電源を供給して前記制御部を起動する電源制御回路と』とを備えている。
すなわち、この電子機器では、水没すると発光体が点灯することで、夜間や視界が悪いときに水に落としても、容易に発見できるようになっている。
【０００４】
【特許文献１】実開平０４−１３５０３８号公報
【特許文献２】特開２０１３−２２９８２６号公報
【発明の開示】
【発明が解決しようとする課題】
【０００５】
しかしながら、特許文献２記載の電子機器では、水没してから取り上げられるまでの間、発光体に電源が供給されて点灯するだけでなく、水没している間はトランシーバーとしての機能は使用できないにも関わらず、通信回路にも電源が供給されている。
この種の電子機器では、通信回路での消費電力が最も大きいため、水没している間は無駄な電力を消費していることになる。
これは、トランシーバーのみならず、他の電子機器、例えば携帯電話やラジオ受信機、パーソナルコンピューター等であっても、水没している間は携帯電話やラジオ受信機、パーソナルコンピューターとして使用できないのであるから、無駄な電力を消費している点では同様である。
【０００６】
本発明は、上記事情に鑑みて創案されたもので、水没している間の消費電力を削減し、もって省電力化を図った電子機器と、電子機器の制御方法とを提供することを目的としている。
【課題を解決するための手段】
【０００７】
本発明に係る電子機器は、自身が水没したことを検出するとともに、前記取り上げられたことを検出する水没検出部と、筐体の内部に設けられた発光体と、点灯信号の入力に応じて前記発光体を点灯させる点灯回路と、前記水没から少なくとも前記取り上げまでの間、前記点灯信号を発生して前記点灯回路に入力することにより、前記発光体を点灯させる制御部とを備えた電子機器において、前記水没検出部が水没を検出したときに、発光体の点灯に必要な箇所以外に電源が供給されていた場合、少なくとも前記取り上げまでの間、発光体の点灯に必要な箇所以外への電源の供給を停止するように構成されている。
【０００８】
また、本発明に係る電子機器の制御方法は、自身が水没したことを水没検出部が検出したならば水没信号を制御部に送出し、制御部が前記水没信号を受けた場合、少なくとも自身が取り上げられるまでの間、筐体の内部に設けられた発光体を点灯させる点灯信号を点灯回路に対して送出し、前記点灯信号を受けた点灯回路が発光体を点灯させる電子機器の制御方法であって、前記水没検出部が水没を検出したときに、発光体の点灯に必要な箇所以外に電源が供給されていた場合、少なくとも前記取り上げまでの間、発光体の点灯に必要な箇所以外への電源の供給を停止するようになっている。
【発明の効果】
【０００９】
本発明に係る電子機器は、水没すると、発光体を点灯して自身の水没及び所在位置を知らせるとともに、水没及び所在位置を知らせる機能を発揮する箇所以外への電源の供給を停止するように構成されているので、水没中には使用することができない箇所での無駄な消費電力を削減することができる。例えば、この電子機器をマリン用のトランシーバーであるとして、電源の供給を停止する箇所が送信及び受信を行う通信部であったとすると、従来のものと比較して消費電力を約９０％低減させることができる。
【図面の簡単な説明】
【００１０】
【図１】本発明に係る電子機器としてのトランシーバーの外観の図面であって、同図（Ａ）は概略的正面図、同図（Ｂ）は概略的左側面図、同図（Ｃ）は概略的背面図である。
【図２】本発明に係る電子機器としてのトランシーバーの構成を示すブロック図である。
【図３】本発明に係る電子機器としてのトランシーバーが、水没時に電源がオンであった場合の各部の動作を示すタイミング図である。
【図４】本発明に係る電子機器としてのトランシーバーが、水没時に電源がオフであった場合の各部の動作を示すタイミング図である。
【図５】本発明に係る電子機器としてのトランシーバーが水没した状態を示す概略的側面図である。
【発明を実施するための形態】
【００１１】
本発明の実施の形態に係る電子機器としてのトランシーバーＴ／Ｒは、自身が水面又は水中に落下したこと（以下「水没」と呼ぶ）を検出するとともに、前記水面又は水中から取り上げられたこと（以下「取り上げ」と呼ぶ）を検出する水没検出部６００と、筐体１１１の内部に設けられた発光体としてのＬＥＤ１１３Ａ、１１４Ａ、１１５Ａと、点灯信号であるＬＥＤ点灯信号ＬＯＮの入力に応じて前記ＬＥＤ１１３Ａ、１１４Ａ、１１５Ａを点灯させる点灯回路５００と、前記水没から少なくとも前記取り上げまでの間、前記ＬＥＤ点灯信号ＬＯＮを発生して前記点灯回路５００に入力することにより、前記ＬＥＤ１１３Ａ、１１４Ａ、１１５Ａを点灯させる制御部２００と、前記水没検出部６００が水没を検出したとき前記制御部２００に電源が供給されていなかった場合、前記制御部２００に電源を供給して前記制御部２００を起動する電源制御部３００とを備えたトランシーバーであり、前記水没検出部６００が水没を検出したときに、ＬＥＤ１１３Ａ、１１４Ａ、１１５Ａの点灯に必要な箇所以外（通信部４００等）に電源が供給されていた場合、少なくとも前記取り上げまでの間、ＬＥＤ１１３Ａ、１１４Ａ、１１５Ａの点灯に必要な箇所以外（通信部４００等）への電源の供給を停止する。
【００１２】
図を参照しつつ、本発明を適用したトランシーバーＴ／Ｒの概略について説明する。
まず、このトランシーバーＴ／Ｒは、船舶通信用のハンディ機器であり、マリンＶＨＦバンドの無線通信を行う。トランシーバーＴ／Ｒは、本体１１０の上面にアンテナ１２０を設けた外観を呈している。トランシーバーＴ／Ｒは、電源として軽量かつ大容量のリチウムイオン電池を用いたこと等により全体の重量が軽量化され、筐体１１１が防水されていることと相まって、水に落下したときでも沈むことがなく、水面に浮き上がる。トランシーバーＴ／Ｒは、内部の重心バランスにより、図５に示すように、アンテナ１２０が水中方向に向くような姿勢で水面に浮かぶ。なお、本明細書では水面に落下することを便宜上「水没」と呼ぶ。
【００１３】
このトランシーバーＴ／Ｒは、水没すると発光体が点灯し、それと同時にアラーム音が放音され、水没と自身の所在位置とをユーザーに知らせるように構成されている。
また、このトランシーバーＴ／Ｒは、水没から取り上げられると、発光体の点灯とアラーム音の放音を停止し、スピーカーグリル１１２から水を抜くための排水音を放音するように構成されている。
【００１４】
次に、トランシーバーＴ／Ｒの外観について詳細に説明する。上述したように、トランシーバーＴ／Ｒは、筐体１１１を含む本体１１０及び筐体１１１の上面に上方に向けて設けられたアンテナ１２０を有する外観を呈してしている。このアンテナ１２０は、コイル状のアンテナ線を樹脂パイプに収納したロッド状のアンテナである。アンテナ線は、銅線又は鉄線であるため重量があり、このアンテナ１２０の重量によって、トランシーバーＴ／Ｒの全体の重量バランスは上部に偏っている。
【００１５】
筐体１１１の前面には、上から順に、ディスプレイ１１３、キーパネル１１４、スピーカーグリル１１２が設けられている。
スピーカーグリル１１２の内部には、スピーカーＳＰが設けられている。筐体１１１の向かって左側面には、ＰＴＴ（プッシュ・トゥ・トーク）スイッチ１１５が設けられている。筐体１１１の上面のアンテナ１２０の向かって左側には防水キャップが被せられたＳＰ／ＭＩＣコネクタ１１６が設けられている。
また、筐体１１１の背面下部中央には、水没時に点灯する発光体としてのＬＥＤ１１５Ａが設けられている。このＬＥＤ１１５Ａは、トランシーバーＴ／Ｒが背面を上向きにした水没姿勢で水没したときに水面からでるような位置（背面下部）に設けられているので、背面を上向きにした水没姿勢で役立つものとなっている。
【００１６】
ディスプレイ１１３は、液晶ディスプレイであり、背面にバックライトとしてのＬＥＤ１１３Ａ（図１（Ａ）及び図２参照）を有している。このディスプレイ１１３には、通信チャンネル、音量の他、各種の設定事項が表示される。
キーパネル１１４には、パワーキーＰＳやテンキーを含む複数のキースイッチが配置されている。パワーキーＰＳは、電源をオン／オフするためのキースイッチであり、ユーザーが一定時間（例えば２秒以上）押圧すると、トランシーバーＴ／Ｒの電源がオンからオフ又はオフからオンに切り替えられる。また、このキーパネル１１４の背面にもバックライトとしてのＬＥＤ１１４Ａ（図１（Ａ）及び図２参照）が設けられている。キーパネル１１４の各キースイッチは、キートップが光を透過させる材質及び色となっており、バックライトの点灯により背面から照射される。
なお、ディスプレイ１１３のバックライトとしての前記ＬＥＤ１１３Ａと、キーパネル  １１４のバックライトとしての前記ＬＥＤ１１４Ａとは、水没時に点灯する発光体を兼ねている。
【００１７】
筐体１１１の背面の上部左右に設けられた一対の電極６１０は、水没検出部６００の一部を構成するものであって、トランシーバーＴ／Ｒが水没したとき、水を介して短絡することによって相互に導通する。トランシーバーＴ／Ｒの制御部２００（図２参照）は、この導通によってトランシーバーＴ／Ｒの水没を検出する。トランシーバーＴ／Ｒが水没したとき、一対の電極６１０が必ず水を介して短絡するのは、アンテナ１２０の重みによりトランシーバーＴ／Ｒの全体の重量バランスが上部に偏っており、アンテナ１２０のある筐体１１１上部が水中方向に向いた状態で水面に浮かぶように内部の重量バランスを調整したことによる。
【００１８】
図２に示すブロック図を参照しつつ、トランシーバーＴ／Ｒの回路構成について説明する。
この図では、トランシーバーＴ／Ｒの回路のうち、電源制御、オーディオ信号処理、通信制御に関連する回路を示している。
トランシーバーＴ／Ｒは制御部２００と、電源制御部３００、受信部４１０及び送信部４２０を含む通信部４００と、点灯回路５００と、水没検出部６００と、オーディオ部７００とを有している。
前記制御部２００は、ＣＰＵに加えて、メモリ、各種のインターフェイス、Ａ／Ｄ、Ｄ／Ａコンバータ等を備えたいわゆるマイクロコントローラであり、図３〜図４のタイミング図に示す設定動作を含むトランシーバーＴ／Ｒの全体動作を制御する。この制御部２００には、ディスプレイ１１３及びキーパネル１１４も接続されている。
なお、制御部２００のメモリには、このトランシーバーＴ／Ｒの動作を制御する制御プログラムが記憶されている。
【００１９】
電源制御部３００はバッテリー３１０を有し、制御部２００、通信部４００、点灯回路５００、ディスプレイ１１３への電源の供給を制御する。
通信部４００の受信部４１０は、高周波信号の受信及びオーディオ信号の放音を処理する回路である。この受信部４１０の最終段にはスピーカーＳＰが接続されている。なお、このスピーカーＳＰは、オーディオ部７００との兼用である。また、通信部４００の送信部４２０は、マイクＭＩＣから入力された音声信号を高周波信号の送信信号に変換し、アンテナ１２０から送出する回路である。
【００２０】
点灯回路５００は、制御部２００から入力されるＬＥＤ点灯信号ＬＯＮに応じて、発光体であるＬＥＤ１１３Ａ、１１４Ａ、１１５Ａを点灯させる回路である。
なお、上述したように、ＬＥＤ１１３Ａ、１１４Ａは、それぞれディスプレイ１１３のバックライト、キーパネル１１４のバックライトとして用いられるとともに、発光体として水没時に点灯してトランシーバーＴ／Ｒの所在位置を知らせる機能を果たす。また、筐体１１１の背面側に設けられたＬＥＤ１１５Ａも、発光体として水没時に点灯してトランシーバーＴ／Ｒの所在位置を知らせる機能を果たす。
なお、図１ではＬＥＤ１１３Ａを２個、ＬＥＤ１１４Ａを９個、ＬＥＤ１１５Ａを１個のみ示しているが、実際のＬＥＤ１１３Ａ、ＬＥＤ１１４Ａは、ディスプレイ１１３及びキーパネル１１４の全体を背面から照射するのに必要な個数及び輝度を備えている。また、ＬＥＤ１１５Ａは、背面を上向きにした水没姿勢で水没した際に、トランシーバーＴ／Ｒの所在位置を知らせる機能に必要なだけの個数及び輝度を備えている。
【００２１】
電源制御部３００は、バッテリー３１０の他に、電源スイッチング回路３２０、ＯＲ回路３３０及び電源供給回路３４０を有している。バッテリー３１０は、例えばリチウムイオン電池であり、その電圧は例えば７．４Ｖである。
電源スイッチング回路３２０は、上述のパワーキーＰＳ及びホールド回路３２１を有している。ホールド回路３２１は、電源スイッチオン信号ＰＳＯＮを出力する。ホールド回路３２１は、パワーキーＰＳが一定時間以上オンされたとき電源スイッチオン信号ＰＳＯＮの状態を（Ｈ／Ｌ）を反転する。電源スイッチオン信号ＰＳＯＮは、ＯＲ回路３３０に入力される。
【００２２】
前記水没検出部６００は、上述の一対の電極６１０を含み、水没信号ＷＥＴを出力する。この水没検出部６００は、一対の電極６１０が導通している間、水没信号ＷＥＴをＬに立ち下げる。この水没信号ＷＥＴは、電源制御部３００のＯＲ回路３３０と制御部２００とに入力される。
ＯＲ回路３３０には、電源スイッチオン信号ＰＳＯＮ、水没信号ＷＥＴに加えて、制御部２００から出力される電源維持信号ＰＯＮも入力される。
【００２３】
ＯＲ回路３３０の出力は、電源供給回路３４０に入力される。電源供給回路３４０は、ＯＲ回路３３０からＨ信号が入力されたとき、バッテリー３１０の電力を制御部２００、通信部４００及び点灯回路５００に供給し、トランシーバーＴ／Ｒを電源オンの状態にする。
【００２４】
点灯回路５００は、制御部２００から入力されるＬＥＤ点灯信号ＬＯＮのＨに応じて発光体であるＬＥＤ１１３Ａ、１１４Ａ、１１５Ａを点灯させる。制御部２００がＬＥＤ点灯信号ＬＯＮのＨを維持するとＬＥＤ１１３Ａ、１１４Ａ、１１５Ａは継続的に点灯し、制御部２００がＬＥＤ点灯信号ＬＯＮのＨ／Ｌを周期的に切り換えると、ＬＥＤ１１３Ａ、１１４Ａ、１１５Ａは点減する。ユーザーがキーパネル１１４からバックライトのオン操作を行うと、制御部２００はＬＥＤ点灯信号ＬＯＮをＨに立ち上げてＬＥＤ１１３Ａ、１１４Ａ、１１５Ａを点灯させる。
また、トランシーバーＴ／Ｒが水没して、水没検出部６００から入力される水没信号ＷＥＴがＨからＬに変化したとき、制御部２００はＬＥＤ点灯信号ＬＯＮのＨ／Ｌを所定の点減周期に切り換えてＬＥＤ１１３Ａ、１１４Ａ、１１５Ａを点減させる。また、トランシーバーＴ／Ｒが取り上げられて、水没検出部６００から入力される水没信号ＷＥＴがＬからＨに変化した後も、制御部２００は所定の点減継続時間、ＬＥＤ１１３Ａ、１１４Ａ、１１５Ａの点減を継続する。
なお、水没時のＬＥＤ１１３Ａ、１１４Ａ、１１５Ａの点減周期や、取り上げ後の点減継続時間はユーザーが任意に設定可能である。
【００２５】
前記オーディオ部７００は、水没検出部６００から入力される水没信号ＷＥＴがＨからＬに変化したとき、制御部２００からのアラーム音発生信号ＡＣＨを受けて、アラーム音を放音する。このアラーム音は、トランシーバーＴ／Ｒが水没したときに発生される間欠的に鳴動する音声であり、人間の聴覚で感度よく聞こえる１ｋＨｚ付近の正弦波である。なお、このアラーム音は、最大レベルでもよいが、ユーザーに存在位置を知らせ、かつバッテリー３１０の消耗を抑えることができる適度なレベルに決定されればよい。
【００２６】
排水音は、スピーカーグリル排水動作時に発生される音声であり、３００Ｈｚの矩形波である。なお、排水音の周波数及び波形は、スピーカーＳＰの特性、スピーカーグリル１１２内の容量、トランシーバーＴ／Ｒの形状等の条件に合わせて適宜決定されればよいが、１００Ｈｚ〜５００Ｈｚの矩形波又は鋸波の波形が好適である。
【００２７】
制御部２００は、電源制御部３００から電源電圧が供給されることによって起動し、トランシーバーＴ／Ｒの動作を制御し、特に、水没検出部６００から入力される水没信号ＷＥＴの変化を所定時間毎（例えば、１０ｍｓ毎）に監視し、以下の動作を実行する。なお、以下の動作説明では、水没告知動作であるＬＥＤ１１３Ａ、１１４Ａ、１１５Ａの点減及びアラーム音の放音の両方がオンされている場合について、図３、図４を参照しつつ説明する。
【００２８】
水没時に電源オン状態であった場合
トランシーバーＴ／Ｒが図３に示すＴ１において水没すると、１０ｍｓ以内に水没検出部６００から制御部２００に入力される水没信号ＷＥＴがＨからＬに変化する（図３に示すＴ２）。制御部２００は、この水没信号ＷＥＴのＨからＬへの変化を受けて、トランシーバーＴ／Ｒが水没したと判断して以下の動作を行う。
【００２９】
（１）ＬＥＤ１１３Ａ、１１４Ａ、１１５Ａの点減
図３に示すＴ３において、発光体であるＬＥＤ１１３Ａ、１１４Ａ、１１５Ａの点減を開始する。制御部２００は、このＬＥＤ１１３Ａ、１１４Ａ、１１５Ａの点減のため、点灯回路５００に入力されるＬＥＤ点灯信号ＬＯＮのＨ／Ｌを所定周期で切り換える。点灯回路５００は、ＬＥＤ点灯信号ＬＯＮがＨになるとＬＥＤ１１３Ａ、１１４Ａ、１１５Ａを点灯させ、ＬＥＤ点灯信号ＬＯＮがＬになるとＬＥＤ１１３Ａ、１１４Ａ、１１５Ａを消灯させる。ＬＥＤ点灯信号ＬＯＮは、所定周期でＨ／Ｌを繰り返すため、ＬＥＤ１１３Ａ、１１４Ａ、１１５Ａは点減することになる。
（２）アラーム音の放音
図３に示すＴ３において、アラーム音の放音を開始する。制御部２００は、アラーム音の放音のため、オーディオ部７００にアラーム音発生信号ＡＣＨを入力する。スピーカーＳＰはアラーム音を放音し、スピーカーグリル１１２内が完全に水で塞がっていなければ、このアラーム音は外部に放音され、ユーザーに到達する。
（３）水没時に電源オン状態であると、制御部２００は、図３に示すＴ３において、上述したＬＥＤ１１３Ａ、１１４Ａ、１１５Ａの点減及びアラーム音の放音に関係する個所以外の箇所、すなわち通信部４００やディスプレイ１１３での通信チャンネル等の各種の設定事項の表示のための電源の供給を停止する。
（４）制御部２００は、水没前の通信部４００の状態を記憶する。
【００３０】
図３におけるＴ４において、水没しているトランシーバーＴ／Ｒが水中から取り上げられると、水没信号ＷＥＴがＬからＨに変化し、それを受けた制御部２００は以下の動作を行う。
（１）アラーム音の停止
制御部２００は、図３におけるＴ４において、アラーム音発生信号ＡＣＨをＬとしてアラーム音の放音を停止するとともに、排水音を放音する。すなわち、排水音の放音のため、オーディオ部７００に排水音発生信号ＥＣＨを入力する。
（２）ＬＥＤ１１３Ａ、１１４Ａ、１１５Ａの点減継続時間等の測定を開始
制御部２００は、図３におけるＴ４において、ＬＥＤ１１３Ａ、１１４Ａ、１１５Ａの点減継続時間を測定するＬＥＤ用タイマーと排水音を放音する排水音継続時間を計測する排水音用タイマーとを起動する。ＬＥＤ用タイマーのタイムアップ時間である点灯継続時間が経過してＴ５になると、ＬＥＤ点灯信号ＬＯＮが停止されるので、ＬＥＤ１１３Ａ、１１４Ａ、１１５Ａの点灯が停止される。また、排水音用タイマーのタイムアップ時間である排水音継続時間が経過してＴ６になると、排水音発生信号ＥＣＨが停止されるので、排水音の放音が停止される。
なお、排水音継続時間は、スピーカーＳＰの特性、スピーカーグリル１１２内の容量、トランシーバーＴ／Ｒの形状等の条件に合わせて適宜決定されればよく、例えば１０秒程度が適当である。なお、この排水音継続時間は、ユーザーによって適宜に設定可能としてもよい。
（３）水没前状態への復帰
ＬＥＤ１１３Ａ、１１４Ａ、１１５Ａの点灯と排水音の放音とが停止されると、すなわち図３に示すＴ６になると、制御部２００は通信部４００の状態を記憶していた水没直前の状態へと復帰させる。これで、ユーザーはすぐにトランシーバーＴ／Ｒの使用を再開することができる。
【００３１】
水没時に電源オフ状態であった場合
電源オフ状態であっても、図４に示すＴ１においてトランシーバーＴ／Ｒが水没して、図４に示すＴ２において水没信号ＷＥＴがＨからＬに変化すると、ＯＲ回路３３０の出力がＨになり、電源供給回路３４０を介してバッテリー３１０の電力が制御部２００に供給されるため、図３に示すＴ３から上述と同様のＬＥＤ１１３Ａ、１１４Ａ、１１５Ａの点減、アラーム音の放音が実行される。
なお、水没時に電源オフであった場合には、ＬＥＤ１１３Ａ、１１４Ａ、１１５Ａの点減及びアラーム音の放音に関係する箇所以外の箇所（通信部４００等）への電源の供給は、最初から行われていなかったので、ＬＥＤ１１３Ａ、１１４Ａ、１１５Ａの点減及びアラーム音の放音に関係する箇所以外の箇所（通信部４００等）への電源の供給の停止は行われない。
【００３２】
図４におけるＴ４においてトランシーバーＴ／Ｒが水中から取り上げられて、水没検出部６００から制御部２００に入力される水没信号ＷＥＴがＬからＨに変化すると、制御部２００はトランシーバーＴ／Ｒが水面から取り上げられたと判断して次の動作を行う。
図４に示すＴ４においてアラーム音発生信号ＡＣＨをＬとしてアラーム音の放音を停止し、その代わりに排水音発生信号ＥＣＨをＨとして排水音を放音する。また、同時にＬＥＤ１１３Ａ、１１４Ａ、１１５Ａの点減継続時間等の測定が開始されるので、点灯継続時間が経過して図４に示すＴ５になるとＬＥＤ１１３Ａ、１１４Ａ、１１５Ａの点灯が停止され、排水音継続時間が経過して図４に示すＴ６になると排水音が停止される。
なお、水没時に電源がオフであったため、Ｔ６になって排水音が停止されても、トランシーバーＴ／Ｒの電源はオフのままである。
【００３３】
なお、上述した実施の形態では，発光体としてディスプレイ１１３のバックライトとしてのＬＥＤ１１３Ａと、キーパネル１１４のバックライトとしてのＬＥＤ１１４Ａを流用したが、本発明はこれに限定されるものではない。いずれか一方のＬＥＤのみを用いてもよいし、ＬＥＤ１１５Ａのような専用の別個の発光体を設けてもよいことはいうまでもない。
また、水没中に発光体としてのＬＥＤ１１３Ａ、１１４Ａ、１１５Ａを点減させるとしたが、点減ではなく、継続的に点灯させてもよい。
【００３４】
また、上述した実施の形態では、ＬＥＤ１１３Ａ、１１４Ａ、１１５Ａの点灯とアラーム音の放音とを同時に行うとしたが、いずれか一方のみを行うようにしてもよい。いずれを行うかはユーザーが選択できるようにしてもよい。
さらに、上述した実施の形態では、トランシーバーＴ／Ｒを取り上げた後、排水音を放音するとしたが、排水音の放音を行わないものであってもよいことはいうまでもない。
【００３５】
また、上述した実施の形態では、電子機器の例として船舶通信用のハンディ型のトランシーバーを例としたが、据え置き式のトランシーバー、通常の携帯電話やラジオ受信機、パーソナルコンピューター等であってもよい。
【００３６】
さらに、上述した実施の形態では、アラーム音と排水音とを放音するためのオーディオ部７００を設けたが、このオーディオ部７００は、通信部４００の受信部４１０の後段部分、詳細には制御部２００からのアラーム音発生信号ＡＣＨ、排水音発生信号ＥＣＨを受けて放音を行う増幅部等と兼用することも可能である。ただし、この場合には、水没を検出した段階で、通信部４００全体への電源の供給を停止するのではなく、アラーム音発生信号ＡＣＨ、排水音発生信号ＥＣＨを受けて放音を行う増幅部等には電源を供給するように構成される必要がある。
【符号の説明】
【００３７】
１１３Ａ  ＬＥＤ（発光体）
１１４Ａ  ＬＥＤ（発光体）
１１５Ａ  ＬＥＤ（発光体）
２００    制御部
３００    電源制御部
５００    点灯回路
６００    水没検出部
６１０    電極
【図１】
2016213567.tif 000003
【図２】
2016213567.tif 000004
【図３】
2016213567.tif 000005
【図４】
2016213567.tif 000006
【図５】
2016213567.tif 000007